(57)【要約】      （修正有）【課題】従来の本皮一枚張り三線の音域から更に１オクターブ上の音域を実現することが出来る高音域本皮一枚張り三線を提供する。【解決手段】胴１の上部開口縁及び下部開口縁にそれぞれ蛇皮が張り付けられてなる胴部を有する本皮一枚張り三線であって、前記蛇皮は、裏面に布張りのない蛇皮のみからなる本皮であり、該本皮を縦方向と横方向の張力比を一定に保って、皮全体の張りバランスを一定に保ちながら引き伸ばして前記胴の上部開口縁及び前記下部開口縁に上部蛇皮２ｕ及び下部蛇皮２Ｌを接着剤３を介して直接貼り付けて構成する。もって、前記胴の中央部をスティックで叩いたときに発生する音の高さが６２２Ｈｚ以上となる高音域本皮一枚張り三線を形成する。【選択図】図１
0003170165.tif 000002
【実用新案登録請求の範囲】
【請求項１】
蛇皮が胴の開口縁に接着剤を介して直接張り付けられて成る本皮一枚張り三線であって、前記蛇皮の張り具合は、該蛇皮が張られた胴の中央部をスティックで叩いた時に発生する音の高さが周波数表示で６２２[Hz]以上であることを特徴とする高音域本皮一枚張り三線。
【請求項２】
前記蛇皮の張り具合は、前記蛇皮が張られた前記胴の中央部をスティックで叩いた時に発生する音の高さが本調子女弦の音の高さで５.５以上である請求項１に記載の高音域本皮一枚張り三線。
【考案の詳細な説明】
【技術分野】
【０００１】
本考案は、高音域本皮一枚張り三線、特に従来の本皮一枚張り三線の音域から更に１オクターブ上の音域を実現することが出来る女性用に好適な高音域本皮一枚張り三線に関するものである。
【背景技術】
【０００２】
三線（さんしん）は、弦楽器の一種で、琉球民謡、琉球舞踊等の琉球芸能において代表される楽器である。音を出す胴の部分に蛇皮または人工皮を張り、胴の尻からソーと呼ばれる棹に向けて男弦（太線）・中弦（中線）・女弦（細線）と呼ばれる三本の弦を張りわたして、弾き手が弦を弾くと弦の振動により胴に張られた皮が共鳴して独特の音を奏でる楽器である。また、皮が張られた胴は、唄い手の声の高さ（キーの高さ）に合うように三線を調弦する際の基準音階を作り出す。すなわち、胴の中央部をスティックで叩いた時に発生する音の高さが、その三線の基準音階となる。そして、胴の皮の張り具合が、その基準音階の高さを決定する要素となる。皮の張り具合を強くすると、基準音階は高くなる。皮の張り具合は、スティックを叩いた時に発生する音の高さが、ピアノの音階で言ういわゆる上の「ド」の高さを実現する皮の張り具合が、「８分張り」と呼ばれ、音の高さが全音上がる／下がるごとに２分づつ増／減し、或いは半音上がる／下がるごとに１分づつ増／減することとされている。従って、この「ド」から更に１オクターブ上の「ド」の高さを実現する皮の張り具合は、「２２分張り」と呼ばれている。
一般に男性のキーの高さは、図２に示されるように、ピアノ音階で「ラ」（チューナー表示で「Ａ」、周波数：440Hz）から「レ」（チューナー表示で「Ｄ」、周波数：587Hz）までの音域と言われている。これを、皮の張り具合で表現すると、「４分張り」から「１０分張り」の範囲となる。対する女性のキーの高さは、ピアノ音階で「ド」（チューナー表示で「Ｃ」、周波数：523Hz）から「ド」（チューナー表示で「Ｃ」、周波数：1047Hz）までの音域と言われている。これを、皮の張り具合で表現すると、「８分張り」から「２２分張り」の範囲となる。
ところで、三線の皮の張り方は、「本皮一枚張り」（または「本張り」という。）、「本皮二枚張り」（または「強化張り」という。）、人工皮に分類することができる。
本張りとは、ニシキヘビの皮を一枚張った、三線の伝統的な張り方である。本張りは、強化張りや人工皮に比べ音質に優れているという利点を有している。その反面、本張りは強化張りや人工皮に比べ温度・湿度の影響を受け易く、その結果、破れ易く強度的に脆いという欠点を有している。
強化張りとは、ニシキヘビ皮の下に強化用の布を張り、破れにくくしたものである。強化張りは破れにくいとう利点を有している反面、音質が本張りに比べ澄んでいない（クリアでない）という欠点を有している。
人工皮とは、ニシキヘビ等の蛇皮でなく、三線用の布に蛇柄やその他の柄をプリントした合成樹脂皮である。人工皮は、強化張りと同様、強度的に優れている。また、材料費が低く抑えられるため、三線の価格が本張りや強化張りのものに比べ格段に安くなり、三線の入門者等に広く用いられている。しかし、音質は、本張りや強化張りに比べ劣るという欠点を有している。
また、三線の皮張りに係る製造方法及び装置として、中央に貫通穴が形成され且つその周りに環状凸と環状凹部がそれぞれ形成された一対の固定盤によって蛇皮を張った状態で狭持し、一方、予め開口縁に接着剤が塗布された胴が載置・固定されている載置盤を油圧ジャッキによって徐々に押し上げながら、その固定盤の貫通穴に押圧して胴の開口縁に蛇皮を所定の張りで接着固定する三線の製造方法及び装置が知られている（例えば、特許文献１を参照。）。
【先行技術文献】
【特許文献】
【０００３】
【特許文献１】特開平５−１５０７６５号公報
【考案の開示】
【考案が解決しようとする課題】
【０００４】
本皮一枚張りの張り具合と、その中央部をスティックで叩いた時に発生する基準音階との対応関係について、図２に示されるように、ピアノ音階でいう真ん中の「ラ」の高さ（チューナー表示で「Ａ」、周波数：440Hz）を実現する皮の張り具合が「４分張り」である。半音上がりのＡ♯（周波数：466Hz）の高さを実現する皮の張り具合が「５分張り」になる。同様に、隣の「シ」（チューナー表示で「Ｂ」、周波数：494Hz）の高さを実現する皮の張り具合が「６分張り」、「ド」（チューナー表示で「Ｃ」、周波数：523Hz）の高さを実現する皮の張り具合が「８分張り」、半音上がりのＣ♯（周波数：554Hz）の高さを実現する皮の張り具合が「９分張り」、「レ」（チューナー表示で「Ｄ」、周波数：587Hz）の高さを実現する皮の張り具合が「１０分張り」である。そして、この「１０分張り」が、従来の本皮一枚張りの三線における張り具合の限界であった。つまり、Ｄ♯以上の音の高さを実現する皮の張りは、本皮一枚では強度的に弱く皮が破れる（切れる）ため胴に張ることが出来なかった。つまり、従来の本皮一枚張りの三線では、胴部の中央を叩いた時の基準音階として、「レ」（チューナー表示で「Ｄ」、周波数：587Hz）より高い音の高さを実現することが出来なかった。
従って、従来の本皮一枚張りの三線では、例えばＤ♯以上の音域で唄う、いわゆるキーの高い女性弾き手の声帯に合わすことは出来なかった。  
そこで、本考案は上記従来技術の問題点に鑑みなされたものであって、その解決しようとする課題は、従来の本皮一枚張り三線の音域から更に１オクターブ上の音域を実現することが出来る高音域本皮一枚張り三線を提供することにある。
【課題を解決するための手段】
【０００５】
上記目的を達成するための請求項１に記載の高音域本皮一枚張り三線は、蛇皮が胴の開口縁に接着剤を介して直接張り付けられて成る本皮一枚張り三線であって、前記蛇皮の張り具合は、該蛇皮が張られた胴の中央部をスティックで叩いた時に発生する音の高さが周波数表示で６２２[Hz]以上であることを特徴とする。
従来、胴の開口縁に蛇皮を張る場合、特許文献１の［０００６］に記載されている通り、胴の開口縁に当接する蛇皮の部位を綿布で縫い付けて補強している。
しかしながら、本願発明者は、胴の中央部をスティックで叩いた時に高い音を発生させるために、蛇皮を極限まで引き伸して胴に一様に張り付ける方法について鋭意研究した結果、三線の蛇皮として使用する蛇の大きさとその部位を適切に選定し、なお且つ蛇皮を縦方向に引っ張る張力と横方向に引っ張る張力との比（バランス）を適切に設定し、蛇皮の張りのバランスを一定に保ちながら胴の開口縁に一様に張って仕上げることにより、蛇皮が張られた胴の中央部をスティックで叩いた時に周波数表示で６２２[Hz]以上の高い音を発生させることが出来ることを見出した。この張り方によると、蛇皮に布を張り付けなくても胴の中央部をスティックで叩いた時に最大で１０４７[Hz]（チューナー表示で「Ｃ」）の高い音を出すことが可能となる胴の皮張りを実現することが出来るようになる。因みに、この時の皮の張り具合は「２２分張り」となる。
従って、本考案の高音域本皮一枚張り三線によれば、従来の本皮一枚張り三線では実現することが出来なかった従来の音域から更に１オクターブ上の音域を実現することが出来るようになる。
【０００６】
請求項２に記載の高音域本皮一枚張り三線では、前記蛇皮の張り具合は、前記蛇皮が張られた前記胴の中央部をスティックで叩いた時に発生する音の高さが本調子女弦の音の高さで５.５以上であることとした。
上記高音域本皮一枚張り三線では、キーの高い女性弾き手（唄い手）の声の高さに合わすことが出来るようになる。
【考案の効果】
【０００７】
本考案の高音域本皮一枚張り三線によれば、従来の本皮一枚張り三線では不可能であったＤ♯以上の高い音域の音を出すことが出来るようになる。その結果、本考案の本皮一枚張り三線は、キーの低い男性からキーの高い女性まで幅広いユーザーの声の高さに合わすことが出来るようになる。
【図面の簡単な説明】
【０００８】
【図１】本考案の高音域本皮一枚張り三線の胴部断面を示す説明図である。
【図２】本考案に係る本皮一枚張りの張り具合と本調子女弦のキーの高さとの対応関係を示す説明図である。
【考案を実施するための形態】
【０００９】
以下、図に示す実施の形態により本考案をさらに詳細に説明する。
【００１０】
図１は、本考案の高音域本皮一枚張り三線１００の胴部断面を示す説明図である。
この高音域本皮一枚張り三線１００の胴部は、胴１と、胴１の上部および下部開口縁に張られる上部蛇皮２uおよび下部蛇皮２Lと、上部蛇皮２uおよび下部蛇皮２Lを胴１の開口縁に接着・固定する接着剤３と具備して構成される。なお、胴部に結合される棹については、天然の黒檀のほか、図示されてはいないが、下記の特殊棹材によって作られている。
【００１１】
この高音域本皮一枚張り三線１００で使用される棹材は、比重０.７から０.８のユシギ自然木樹齢５０年から６０年の木を角材に製材して、金型に入れ、（例えば３０％圧縮する場合は）比重１.１で水に沈むくらい重くなるように最初は１３０°の蒸気を加え、熱が中心まで伝わった時に圧密機械で圧縮し、その後、蒸気を一気に１７０°から１８０°で木が暴れないように固定・冷却することによって作られる。
【００１２】
水に浮く軽い棹材の場合は、棹の振動は起こりやすいが、湿気が有る時は水分が材の中に入っていく。振動波が長く皮の厚い場合は跳ね返す力が弱い。従って、水に浮く軽い棹材は皮がやや薄い方が良い音が出る。一方、水に沈む重い棹材の場合、振動波は短く、逆に厚い皮を強く引っ張った場合のキーの高さ５（Ｄ）から６（Ｅ）の音域で澄みきったいい音が出るようになる。このような三線は昔から「力がある」と表現されてきた。このような三線の音は遠いところまで聞こえるからである。
この棹と、蛇皮が極限まで一様に引き伸ばされ張られた上記胴部（本張り胴）が組み合わされた上記本皮一枚張り三線１００は、今までにない音の高さと音色を出すことができる。
【００１３】
いい音を出すためには棹材と、ニシキヘビの皮の引き具合と、棹のトゥーイ・分当て・張りの強さが一体化した時にすばらしい音色になる。その為、いい皮の場合従来の張り方では物足りない。
【００１４】
いい材をいかに１００％活かせるかは、皮全体の張りのバランスの仕上がり状態によって決定される。
従来、本皮を張る場合、皮がチーガ（胴）のへりに当たる部分を強化する為、綿の布を縫い付けて張っているが、改良に改良を重ねた長い年月におよぶ研究開発の結果、本皮を引き伸ばすことの出来る本張り機械により、材を（ニシキヘビ一枚皮で）極限まで引き伸ばし本皮を直接胴に接着剤を介して張り付けて仕上げることが出来るようになった。
【００１５】
皮全体の張りのバランスを一定に保ちながら蛇皮を極限まで引き伸ばして胴の開口縁に張り付けるためには、以下の点が重要となる。
【００１６】
先ず、三線に使用される蛇皮は、縦には伸びにくく横には大きく伸びる特性を有している。そのため、縦方向に引く張力と横方向に引く張力との比として、皮全体の張りのバランスが最適となるような値に設定しなければならない。この張力の比は、使用される蛇の大きさとその部位によって異なってくる。本実施例では、縦と横方向の各張力比は３対７である。
【００１７】
また、使用される部位としては、頭部を上にして吊り下げた状態で下の肛門から１８０cmまでの部位が使用される。各部位は３０cmごと６等分に切断され、平面状に展開されて６枚の皮に仕上げられる。下から数えて１番目から３番目の皮は、胴の表側に張られる皮として使用される。他方、４番目から６番目の皮は、胴の裏側に張られる皮として使用される。
ところで、蛇は自身より大きい獲物を飲み込み消化することが出来る。そのため、特に食道から消化器に到る部位の皮（４番目から６番目の皮）は、蛇が獲物を飲み込む際、大きく伸び縮みすることが出来るように作られている。そのため、蛇の皮は、下（肛門）から上（頭部）に行くに従って薄くなる特性を有している。つまり、食道から消化器に到る部位の皮（４番目から６番目の皮）は頻繁に収縮する薄い皮であり、一方、消化器直後から肛門に到る部位の皮（１番目から３番目の皮）は収縮の少ない厚い皮となっている。また、下から９０cmの部位は消化が終わるところで、皮の収縮が最も少ない部位である。そのため、下から３番目の部位の皮は厚くて良質の皮である。
【００１８】
更に、三線に使用される蛇（ニシキヘビ）は、体調の小さい２m５０cmから体調の大きい約４mのニシキヘビが使用される。体調の小さいニシキヘビから取れる皮は薄いため、大きな張力をかけることは出来ないが、体調の大きいニシキヘビから取れる皮は厚いため、大きな張力をかけることが可能となる。
従って、以上をまとめると、体調の大きいニシキヘビの下から３番目の部位の皮を、縦方向の張力と横方向の張力との比を一定（例えば３対７）に保ちながら、皮全体の張りのバランスを一定に保ちながら引き伸ばして胴の開口端に一様に張り付けることにより、胴の中央部をスティックで叩いた時にキーの高い音を発生させる胴の本皮張りを実現することが出来るようになる。
【００１９】
なお、実際の蛇皮の引き伸ばしは人手ではなく、縦方向の張力と横方向の張力との比を好適に可変する特殊な本張り機械によって行われる。この本張り機械によって皮全体の張りのバランスが一定に保つことが可能となり、その結果、皮は切れにくく、やわらかい良い音が出るようになった。
その結果、ユーザーの要望に合わせた張りの仕上げの期間・張りの強さ（キーの高さ）：２（Ａ）、３（Ｂ）、４（Ｃ）、５（Ｄ）、６（Ｅ）をはじめ、特に７（Ｆ）、８（Ｇ）のキーの高さを要望するユーザーに対し容易に対応できるようになった。
【００２０】
図２は、本考案に係る本皮一枚張りの張り具合と本調子女弦のキーの高さとの対応関係を示す説明図である。
上段は、蛇皮が張られた胴の中央をスティックで叩いた時に発生する音の高さをピアノ音階で表示したものである。
中上段は、蛇皮が張られた胴と棹を結合し３本の弦を張った時の女弦開放弦のキーの高さをチューナー表示したものである。
中下段は、本調子女弦のキーの高さを示したものである。なお、本調子とは、三線を構成する男弦・中弦・女弦の各キーの高さを、例えば順にド（Ｃ）−ファ（Ｆ）−ド（Ｃ）に調弦することである。因みに、本調子での女弦のキーの高さを「Ｃ」（523Hz）の音に調弦した場合、本調子女弦は「４」のキーの高さに合わせたと定義される。従って、レ（Ｄ）−ソ（Ｇ）−レ（Ｄ）と本調子した時の本調子女弦のキーの高さは「５」である。
下段は、対応する本皮一枚張りの張り具合を示したものである。例えば、本調子女弦のキーの高さ「４」を実現する時の皮の張り具合は「８分張り」である。一方、本調子女弦のキーの高さ「１１」を実現する時の皮の張り具合は「２２分張り」である。
【００２１】
なお、図２の周波数表示について、ピアノ音階でラ（Ａ）の高さを４４０[Hz]とし、「ラ」の音から全音上がる／下がる音の高さを２±2/12倍（複合同順）し、一方、「ラ」の音から半音上がる／下がる音の高さを２±1/12倍（複合同順）し、さらに値の端数は小数点第一位を四捨五入して切り捨てて整数で表示した。
【００２２】
因みに、本調子女弦のキーの高さ「６」を実現する時の皮の張り具合は「１２分張り」となる。一方、キーの高さ「１１」を実現する時の皮の張り具合は「２２分張り」となる。
【００２３】
従来の本皮一枚張り三線では、胴の皮の張り具合はせいぜい１０分張りが限度であった為、本調子女弦のキーの高さを６（Ｅ）以上に調弦する場合、女弦を強く張る必要があった。しかし、本調子女弦のキーの高さを７（Ｆ）以上のキーの高さに調弦するには、女弦の引張強度が足りず弦が切れるため調弦することが出来なかった。
しかし、本考案の高音域本皮一枚張り三線１００によれば、従来の本皮一枚張り三線では出来なかった本調子女弦のキーの高さを７（Ｆ）から１１（Ｃ）のキーの高さに調弦することが出来る。従って、キーの高い女性弾き手にも好適に対応することが出来るようになる。つまり、本考案の高音域本皮一枚張り三線１００は、キーの高さをキーの低い男性からキーの高い女性まで幅広いユーザーに合わすことが出来るようになる。
【産業上の利用可能性】
【００２４】
本考案の高音域本皮一枚張り三線は、弦楽器として好適に適用することが出来る。
【符号の説明】
【００２５】
１        胴
２u       上部蛇皮
２L       下部蛇皮
３        接着剤
１００    高音域本皮一枚張り三線
【図１】
0003170165.tif 000003
【図２】
0003170165.tif 000004
【手続補正書】
【提出日】平成23年7月6日(2011.7.6)
【手続補正１】
【補正対象書類名】実用新案登録請求の範囲
【補正対象項目名】全文
【補正方法】変更
【補正の内容】
【実用新案登録請求の範囲】
【請求項１】
胴の上部開口縁及び下部開口縁にそれぞれ蛇皮が張り付けられてなる胴部を有する本皮一枚張り三線であって、前記蛇皮は、裏面に布張りのない蛇皮のみからなる本皮であり、該本皮を縦方向と横方向の張力比を一定に保って、皮全体の張りバランスを一定に保ちながら引き伸ばして前記胴の上部開口縁及び前記下部開口縁に接着剤を介して直接貼り付けられてなり、前記胴の中央部をスティックで叩いたときに発生する音の高さが６２２Ｈｚ以上であることを特徴とする高音域本皮一枚張り三線。
【請求項２】
胴の上部開口縁及び下部開口縁に、それぞれ蛇皮が張り付けられてなる胴部を有する三線であって、前記蛇皮は、裏面に布張りのない蛇皮のみからなる本皮であり、該本皮を縦方向と横方向の張力比を一定に保って、皮全体の張りバランスを一定に保ちながら引き伸ばして前記胴の上部開口縁及び前記下部開口縁に接着剤を介して直接貼り付けられてなり、前記胴の中央部をスティックで叩いたときに発する音の高さが本調子女弦の音の高さで５．５以上であることを特徴とする高音域本皮一枚張り三線。
【手続補正２】
【補正対象書類名】明細書
【補正対象項目名】０００５
【補正方法】変更
【補正の内容】
【０００５】
上記目的を達成するための請求項１に記載の高音域本皮一枚張り三線は、胴の上部開口縁及び下部開口縁にそれぞれ蛇皮が張り付けられてなる胴部を有する本皮一枚張り三線であって、前記蛇皮は、裏面に布張りのない蛇皮のみからなる本皮であり、該本皮を縦方向と横方向の張力比を一定に保って、皮全体の張りバランスを一定に保ちながら引き伸ばして前記胴の上部開口縁及び前記下部開口縁に接着剤を介して直接貼り付けられてなり、前記胴の中央部をスティックで叩いたときに発生する音の高さが６２２Ｈｚ以上であることを特徴とする。
従来、胴の開口縁に蛇皮を張る場合、特許文献１の［００１２］に記載されている通り、胴の開口縁に当接する蛇皮の部位を綿布で縫い付けて補強している。
しかしながら、本願発明者は、胴の中央部をスティックで叩いた時に高い音を発生させるために、蛇皮を極限まで引き伸して胴に一様に張り付ける方法について鋭意研究した結果、三線の蛇皮として使用する蛇の大きさとその部位を適切に選定し、なお且つ蛇皮を縦方向に引っ張る張力と横方向に引っ張る張力との比（バランス）を適切に設定し、蛇皮の張りのバランスを一定に保ちながら胴の開口縁に一様に張って仕上げることにより、蛇皮が張られた胴の中央部をスティックで叩いた時に周波数表示で６２２[Hz]以上の高い音を発生させることが出来ることを見出した。この張り方によると、蛇皮に布を張り付けなくても胴の中央部をスティックで叩いた時に最大で１０４７[Hz]（チューナー表示で「Ｃ」）の高い音を出すことが可能となる胴の皮張りを実現することが出来るようになる。因みに、この時の皮の張り具合は「２２分張り」となる。
従って、本考案の高音域本皮一枚張り三線によれば、従来の本皮一枚張り三線では実現することが出来なかった従来の音域から更に１オクターブ上の音域を実現することが出来るようになる。
【手続補正３】
【補正対象書類名】明細書
【補正対象項目名】０００６
【補正方法】変更
【補正の内容】
【０００６】
請求項２に記載の高音域本皮一枚張り三線では、前記請求項１の高音域本皮一枚張り三線における音の高さが周波数表示で６２２Ｈｚ以上に代えて、本調子女弦の音の高さ表示にして、前記胴の中央部をスティックで叩いた時に発生する音の高さが周波数本調子女弦の音の高さで５.５以上であることとした。
上記高音域本皮一枚張り三線では、キーの高い女性弾き手（唄い手）の声の高さに合わすことが出来るようになる。